(57)【要約】  縄跳びをすることを模擬したロープレス縄跳びであって、ロープレス縄跳びの使用に関してさまざまなデータを計算し、記録し、かつ、表示するもの。好ましい実施形態によれば、少なくともその一部分にグリップを有するハウジング、および、表示／制御部分を含む。この表示／制御部分は、マイクロプロセッサ、表示／制御パネル、および、バッテリ隔室を収容する。ハウジングは、さらに、ユーザの脈拍を監視するための脈拍数モニタを収容する。
2008521552.tif 000002
【特許請求の範囲】
【請求項１】
バッテリを収容するための隔室を有する、第１の端部および第２の端部を有するハウジングと、
前記ハウジングの第２の端部に連結されたロープ模擬要素と、
マイクロプロセッサと、
ユーザの好みを入力するための手段と、
表示装置と
を備えるロープレス縄跳びのハンドル。
【請求項２】
前記表示装置を制御するための手段をさらに備える、請求項１に記載のロープレス縄跳び。
【請求項３】
前記ユーザの好みが、トレーニング時間、最小心拍数、最大心拍数、およびインターバル時間のうちの少なくとも１つを含む、請求項１に記載のロープレス縄跳び。
【請求項４】
前記表示装置が、トレーニング時間、現在のユーザの心拍数、平均心拍数、および最大心拍数のうちの少なくとも１つを表示する、請求項１に記載のロープレス縄跳び。
【請求項５】
前記ハウジングの前記第１の端部がおもりを受け入れるための開口を有する、請求項１に記載のロープレス縄跳び。
【請求項６】
前記ハウジング内に前記おもりを保持するためのエンド・キャップをさらに備える、請求項５に記載のロープレス縄跳び。
【請求項７】
ユーザの心拍数を感知して前記マイクロプロセッサに心拍数データを出力するために前記ハウジングに取り付けられたセンサをさらに備える、請求項１に記載のロープレス縄跳び。
【請求項８】
心拍数モニタからの心拍数データを受け入れて前記マイクロプロセッサに心拍数データを出力するための受信部をさらに備える、請求項１に記載のロープレス縄跳び。
【請求項９】
前記ロープ模擬要素が、一端に取り付けられたおもりを有するロッドを備える、請求項１に記載のロープレス縄跳び。
【請求項１０】
前記ロープ模擬要素が、一端に取り付けられたおもりを有するコードを備える、請求項１に記載のロープレス縄跳び。
【請求項１１】
スピーカをさらに備える、請求項１に記載のロープレス縄跳び。
【請求項１２】
ロープのクリック音を発生するための手段をさらに備える、請求項１に記載のロープレス縄跳び。
【請求項１３】
データをエクスポートするための手段をさらに備える、請求項１に記載のロープレス縄跳び。
【請求項１４】
第１のハウジング、
グリップ、
ロープ模擬要素、
マイクロプロセッサ、
ユーザ・インターフェース、
前記マイクロプロセッサからの制御データを受け取る表示装置、および
バッテリ
を備える第１のハンドルと、
第２のハウジング、
グリップ、および
ロープ模擬要素
を備える第２のハンドルと
を備えるロープレス縄跳び。
【請求項１５】
前記第１のハウジングおよび第２のハウジングのそれぞれの少なくとも一部分が中空である、請求項１４に記載のロープレス縄跳び。
【請求項１６】
前記第１のハウジングの前記中空部分内の第１のおもりと、
前記第２のハウジングの前記中空部分内の第２のおもりと
をさらに備える、請求項１５に記載のロープレス縄跳び。
【請求項１７】
前記第１のおもりおよび第２のおもりが交換可能である、請求項１６に記載のロープレス縄跳び。
【請求項１８】
心拍数モニタをさらに備える、請求項１４に記載のロープレス縄跳び。
【請求項１９】
前記ロープ模擬要素が重くされたロッドを備える、請求項１４に記載のロープレス縄跳び。
【請求項２０】
前記１次ハンドルが、前記１次ハンドルの中央から延在する軸の周りの前記ロープ模擬要素の回転をカウントするための計数機構をさらに備える、請求項１４に記載のロープレス縄跳び。
【発明の詳細な説明】
【技術分野】
【０００１】
発明者：ブラッド  シー．ラツアー
関連出願の相互参照
本出願は、発明者Ｂｒａｄ  ＬａＴｏｕｒが２００４年１２月２日に出願した「ロープレス縄跳び」と題する米国実用特許出願番号第１１／００２，３５１号の出願日の利益を主張するものであり、同出願は全体として参照により本明細書に引用する。
【０００２】
連邦政府がスポンサーとなる研究または開発に関する申告
適用なし
【０００３】
本発明は、縄跳びシミュレータに関し、詳細には、ユーザの脈拍を監視し表示しながらロープを跳躍することを模擬することによって身体トレーニングを行うための新しい縄跳びシミュレータに関する。
【背景技術】
【０００４】
様々な従来の縄跳びシミュレータが知られている。このような先行技術の縄跳びの１つの例が米国特許第５，８９５，３４１号に開示されており、この特許には一対のハンドヘルド・ユニットが開示され、各ユニットはそれに取り付けられた細長い可撓性コードを備えるハンドルを有する。可撓性コードはハンドルから離れて偏倚された重量分布を有し、それにより振れ回り運動を容易にする。各ハンドルの可撓性コードはハンドルから延在する軸の周りに振れ回ることができる。ハンドルはリセット・ボタンを備えたカウンタ、およびハンドルから延在するものを有することができる。ハンドルは、リセット・ボタンを備えたカウンタ、および消費され燃焼されたカロリー数を表示するためのカロリー計数デバイスを有してもよい。上記カウンタと同様に、このカロリー・カウンタは、リセット・ボタンを有することが好ましい。この種の既知の縄跳びシミュレータの他の例には、米国特許第５，６６２，５６１号、第Ｄ４７７，８５３号、第Ｄ４７０，９０２号、第Ｄ３５２，２３６号、第５，６９７，８７１号、第４，５９３，８９９号、第４，１７９，１１９号、第４，１０１，１２３号、第６，５４４，１４８号、第３，２１２，７７７号、および第５，６４３，１４９号が含まれる。
【特許文献１】米国特許第５，８９５，３４１号明細書
【特許文献２】米国特許第５，６６２，５６１号明細書
【特許文献３】米国特許第Ｄ４７７，８５３号
【特許文献４】米国特許第Ｄ４７０，９０２号
【特許文献５】米国特許第Ｄ３５２，２３６号
【特許文献６】米国特許第５，６９７，８７１号明細書
【特許文献７】米国特許第４，５９３，８９９号明細書
【特許文献８】米国特許第４，１７９，１１９号明細書
【特許文献９】米国特許第４，１０１，１２３号明細書
【特許文献１０】米国特許第６，５４４，１４８号明細書
【特許文献１１】米国特許第３，２１２，７７７号明細書
【特許文献１２】米国特許第５，６４３，１４９号明細書
【発明の開示】
【発明が解決しようとする課題】
【０００５】
これらの先行デバイスは有用であったかもしれないが、デバイスの重量および表示されたデータに関してトレーニングをカスタマイズする機能をユーザに提供するものではなかった。この先行技術のデバイスは、ハンドルの回転数および燃焼カロリー以外のユーザのトレーニングに関するデータは提供できなかった。さらにこの先行技術のデバイスは、回転およびカロリー・カウンタをゼロに単にリセットする以外、上記データの便利な表示装置や、表示されたデータをカスタマイズするための便利な制御装置をユーザに提供するものではなかった。上述した各文書の全体を、参照により本明細書に引用する。
【課題を解決するための手段】
【０００６】
本明細書で開示され請求された本発明は、トレーニングの強さを調節するおもりをそれぞれ収容することができる第１次ハンドルおよび第２次ハンドルを有するロープレス縄跳びである。第１次ハンドルおよび第２次ハンドルの双方は一端に取り付けられたコードまたはロッドの荷重を受けており、このコードまたはロッドはハンドルの中央から延在する軸線周りに回転式に振り回すことができる。第１次ハンドルは、ユーザの心拍数および回転カウンタを監視するための１又は複数のセンサなどの、電子的にデータを収集するための様々な手段を有する。第１次ハンドルはまた、従来の心拍数モニタのような胸ストラップなどの分離したデバイスから心拍数データなどのデータを受け取るための受信部を有することもできる。電子的にデータを収集するための様々な手段がマイクロプロセッサにデータを出力し、このマイクロプロセッサはデータを格納し、そのデータについて様々な処理を行うことができる。第１次ハンドルはさらに、デバイスに電力を供給するバッテリを収容するためのバッテリ隔室を有する。第１次ハンドルのマイクロプロセッサは、トレーニングに関する様々なデータおよびユーザからの入力を受け取り、様々な計算を行い、１つまたは複数の表示装置に要求されたデータおよび結果を表示する。ユーザは、デバイスを制御し、またはオン／オフもしくはリセット制御装置、スクロール・ボタン等のような様々な入力手段を有する制御パネルにより様々な入力データを入力できる。１つまたは複数の表示装置は、回転カウント、回転速度、現在の脈拍、平均脈拍、平均回転速度、推定全燃焼カロリー、推定カロリー燃焼速度、選択された脈拍範囲、トレーニング時間、残りのトレーニング時間等のような様々なデータを表示できる。
【０００７】
本発明のさらに他の局面、特徴、および利点は、好ましい実施形態および具体例を単に説明するだけで、以下の詳細な説明から直ちに明らかである。また、本発明は他のおよび異なる実施形態が可能であり、そのいくつかの細部は本発明の精神および範囲から全く逸脱することなく様々な点で改変できる。したがって図面および説明は、その性質上例示とみなされるべきであり、限定表現とみなされるべきではない。
【０００８】
本明細書に組み込まれ本明細書の一部を構成する添付図面は、本発明のいくつかの実施形態を示し、その記述と共に、本発明のいくつかの局面、利点、および原理を説明する働きをする。
【０００９】
図１は、本発明の好ましい実施形態による第１次ユニットを示す図である。
【００１０】
図２は、本発明の好ましい実施形態による第２次ユニットを示す図である。
【００１１】
図３（ａ）及び（ｂ）は、本発明の好ましい実施形態によるおもりの使用を示す図である。
【００１２】
図４は、好ましい実施形態による本発明の使用を示す図である。
【００１３】
図５は、本発明の好ましい実施形態の電子機器の構成を示す図である。
【００１４】
図６は、本発明の他の実施形態による第１次ユニットを示す図である。
【００１５】
図７は、本発明の好ましい実施形態による指グリップを示す図である。
【００１６】
図８は、本発明の好ましい実施形態の端面図を示す図である。
【００１７】
図９は、本発明の好ましい実施形態のグリップの断面図を示す図である。
【発明を実施するための最良の形態】
【００１８】
本発明は、運動を容易にする複数の機能および調節を備えた縄跳びシミュレータを集合的に構成する要素の新規な組合せを提示するものである。図１、図２、図３（ａ）、および図３（ｂ）を参照すると、本発明の好ましい実施形態は２つのハンドルを有し、一方を「第１次」ハンドルまたは「活性」ハンドルと呼び、他方は「第２次」ハンドルまたは「不活性」ハンドルと呼ぶ。
【００１９】
好ましい実施形態の第１次ハンドルの側面図を図１に示す。好ましい実施形態の第１次ハンドルはハウジング１１０を有し、このハウジングは細長く中空で、形状が概ね円筒形であることが好ましい。ハウジング１２０は、このハウジングを手で把持できるならば他の形状に形成してもよい。さらに一端で、このハウジングはおもり３１０を受け入れるための開口１０２を有する。開口１０２に隣接するハウジング１１０の内面は、エンド・キャップまたはプラグ１３２のねじ部分１３２と嵌り合うためにねじ切りされている。エンド・キャップ１３２は金属、プラスチック、またはゴムなどの適切な任意の材料で形成できる。ハウジングは金属、プラスチック、または木などの適切な任意の材料で形成できるが、剛性材料であることが好ましい。ハウジングは、長さが約８インチで、フォーム・グリップまたはゴム・グリップ１１４がハンドルに配置された後に様々なサイズの手のいずれによっても把持できる適切な範囲の直径を有することが好ましい。他の実施形態では、ハンドル・グリップはハウジングと一体であることができ、例えばハウジングとグリップ双方は成形プラスチックから形成できる。
【００２０】
グリップ１１４は開口１３２に隣接するハウジングの一部分の上に配置される。好ましい実施形態では、グリップは長さが約６インチであるが、グリップの別の長さを本発明について使用してもよい。グリップ１１４は、様々な形状のいずれを採ることもできるが、好ましい実施形態では、このグリップには例えば図７および図９に示すように複数の指グリップ部分が形成される。図９では、グリップ１１４はハウジングを受け入れるための開口端部、およびハウジングの反対側の端部を覆うための閉鎖端部を有するように示されている。これはただ１つの実施形態であり、他の実施形態では、例えば図１および図３に示すようにグリップは両端で開口し、エンド・キャップ１３２がハウジングの端部を覆うために使用されることが当業者には理解されよう。
【００２１】
ハウジングは、システムの様々な構成要素を収容するためにその側壁に様々な開口を含むことができる。１つのこの種の開口は、脈拍モニタ用の１つまたは複数のセンサ１１２を受け入れるためのものであってよい。この特定の実施形態では、脈拍モニタはハウジングのグリップ部分に配置される。したがって、グリップ１１４もまたセンサ１１２のための開口を有することになる。脈拍モニタはフィットネス分野では広く知られており、任意の適切な脈拍モニタおよびセンサ構成が本発明について使用できる。別法として、第１次ハンドルは、胸ストラップにセンサを有するものなどの従来の脈拍数モニタからデータを受信するための受信部（図示せず）を組み込んだものでもよい。
【００２２】
グリップ１１４を配置した時、ハウジング１１０の一部分がグリップ１１４外に延在する。グリップを越えて延在するハウジングのこの部分は、参照の目的で、ハウジングの表示／制御部分１２０と呼ぶことにする。この部分はグリップの部分とはっきり異なるハウジングの一部分としてここで説明されるが、本発明では、例えばハウジングの全長がグリップ１１４によって覆われるが、グリップ１１４が１つまたは複数の表示装置および制御装置を受け入れるための１つまたは複数の開口を有するように、一体構造を採用してもよいことが理解できよう。
【００２３】
図１に示す好ましい実施形態では、ハウジングの表示／制御部分１２０は、第１次ハンドルの電子機器に電力を供給するためのバッテリ隔室１２８を収容する。図１に示す実施形態の電子機器は、推定燃焼カロリー、運動時間、回転カウント、心拍数など、情報を表示するための複数の表示装置１２６を含む。時刻、平均脈拍、１分あたりの平均回転等のような他の情報を、この情報に加えてまたはこの情報の代わりに表示してもよい。この表示装置はいかようにも配置できるが、図１では表示／制御パネルの部分として示されている。
【００２４】
開口１０２の反対側のハウジングの一端に計数機構１４０がある。計数機構１４０は、それに連結されたおもり１６０を有するロッドまたはコード１５０などのロープ模擬要素に取り付けられる。計数機構１４０は、図４に示すように軸４１０の周りにロッドまたはコード１５０の回転運動を可能にする。このおもりは鋼、ゴム、プラスチックなどの様々な材料で形成できるが、おもりが誤ってスピンする場合に損傷を防止するために可撓性材料から形成され、または可撓性材料で覆われることが好ましい。また計数機構１４０は方向４１４の運動も可能にすることができる。他の実施形態では、計数機構１４０をデバイスから取り除き、ロープ模擬要素をハンドル・ハウジングに取り付けるようにしてもよい。
【００２５】
同様に好ましい実施形態では、電源のオン／オフ、リセット等のような電子機器の様々な機能を制御するための複数の制御ボタン１２４を含んでもよい。多くの異なるタイプの制御装置が本発明について使用できる。
【００２６】
他の実施形態では、図６に示すように、単一の表示装置６１０をすべてのシステム情報を表示するために使用してもよい。このような単一の表示装置の場合、様々なタイプの情報を、前もって設定されまたは選択された間隔でスクリーンを横切って循環させてもよい。別法として、ユーザが表示したい情報を選択できるように、表示制御装置６２０を設けてもよい。
【００２７】
第２次ハンドルもしくは不活性ハンドル２００の実施形態を図２に示す。この第２次ハンドルは、グリップ２１４（図示せず）によって覆われたグリップ部分を有するハウジング２１０、および「ダミー」部分２２０を有する。ハウジング２１０のグリップ部分の端部は、おもり３１０を受け入れるための開口２０２、およびハウジング内に該おもりを保持するためのエンド・キャップ２３０を有する。第１次ハンドルの場合のように、開口２０２に隣接するハウジング２１０の内側は、エンド・キャップ２３０のねじ部分２３２と嵌り合うためにねじ切りすることができる。第１次ハンドルのエンド・キャップ１３０および第２次ハンドルのエンド・キャップ２３０は、サイズおよび構造が同一であり、交換可能であることが好ましい。同様に、第１次ハウジング１１０および第２次ハウジング２１０は、おもり３１０を収容するために、その中空の内部内にそれぞれチャンバ（図示せず）を有することが好ましい。１／２ポンド、１ポンド、および１（１／２）ポンドなどの異なる重量を有する様々なおもり３１０を使用できるが、同様なサイズであることが好ましい。
【００２８】
第１次ハンドルの電子機器用のシステム構成の好ましい実施形態を図５に示す。マイクロプロセッサ５１０は様々なデータを格納し、その内部メモリ（図示せず）内でデータを処理し、バッテリ５５０の電力で作動する。格納されたデータは様々なタイプのいずれであってもよく、単純でもまたは複雑でもよく、ユーザに包括的でもまたは特定的でもよい。例えばこのデータは現在のトレーニングに限定することができ、または、ユーザにそのトレーニング記録または長期間の記録を提供するために、様々な過去のトレーニングまたは様々なユーザに関する日付および時刻情報さえ含むことができる。他の実施形態では、ＰＣまたはＰＤＡなどの分離したデバイスに情報をダウンロードしエクスポートするための、ＵＳＢポート、赤外線ポート、またはイーサネット（登録商標）・ポートなどの手段を含むことができる。さらに、データをエクスポートするためのこのような手段は、フラッシュ・メモリ、メモリ・スティック等のようなメモリ・デバイスを受け入れるためのポートであることもできる。この種の手段はまた、データ、音楽、ソフトウェア、またはトレーニング・プログラムをインポートし、またはアップロードするために使用することもできる。
【００２９】
マイクロプロセッサは、制御装置５３０、計数機構５４０、および心臓モニタ１１２から入力を受け取る。この制御装置は特定の実施形態に応じて単純でもまたは複雑でもよい。この制御装置により、例えばユーザが識別情報、および所望の心拍数範囲、トレーニング時間の限度またはその間隔などのトレーニング設定の好みを入力できるようにすることによって、様々な要因のカスタマイズが可能になる。制御装置５３０は様々な入力に備えることができ、例えばオン／オフ、リセット、脈拍範囲、回転速度等を与えることができる。同様に、この制御装置は、所望の心拍数範囲、トレーニング時間、またはトレーニング間隔を設定するために使用できる。この制御装置は、簡単なオン／オフ・ボタンおよびリセット・ボタン制御装置から矢印キー、決定ボタン、および表示メニューまで、様々な形態のいずれでも機能することができる。
【００３０】
マイクロプロセッサ５１０は、受け取った様々なデータを処理し、１つまたは複数の表示装置１２６を有する表示パネル５２０に表示データを出力する。このマイクロプロセッサは、計算を行い、および／または、回転カウント、１分あたりの回転、１分あたりの平均回転、推定全燃焼カロリー、時間増分あたりの推定燃焼カロリー、時間、走行経過時間、残りのトレーニング時間、心拍数、平均心拍数、最大心拍数、最小心拍数を含む（しかし限定されない）ユーザに関する様々な情報を表示５２０に表示させる。
【００３１】
他の実施形態では、このシステムはスピーカ５６０、またはロープの模擬クリック音などの様々な音を作るためのスピーカを有することができる。ビープ音または他の音を、１分の増分、５分の増分、または１０分の増分などの特定の時間間隔を表すために使用してもよい。同様に、音は、例えば、最小心拍数に達したことまたは最大心拍数を超過したことを示すために使用できる。同様に、ペース表示器など、追加の音も使用できる。スピーカから発するこの種の音はビープ音と同じくらいに単純でもよく、または音楽もしくは音声録音のようなより複雑な音でもよい。別法として、ヘッドホーン・ジャックを内部スピーカの代わりに用いることもできる。
【００３２】
本発明の好ましい実施形態についての先の記述は、例示および説明の目的で提示したものである。これは、本発明が、全て開示し尽くされたことや、開示されている通りの形態に限定されることを意味するものではなく、改変および変形が上記の教示を考慮して可能であり、本発明の実施を通じて得られることを意味する。この実施形態は、本発明の原理及びその実際的な用途を、所望の特定の用途に相応しい各種の実施形態で当業者が本発明を実現できるように説明するために、選択され且つ記述されたものである。本発明の範囲は本明細書に添付の請求の範囲およびその均等物によって規定されるものである。上述した各文書の全体を、参照により本明細書に引用する。
【図面の簡単な説明】
【００３３】
【図１】図１は、本発明の好ましい実施形態による第１次ユニットを示す図である。
【図２】図２は、本発明の好ましい実施形態による第２次ユニットを示す図である。
【図３】図３（ａ）及び（ｂ）は、本発明の好ましい実施形態によるおもりの使用を示す図である。
【図４】図４は、好ましい実施形態による本発明の使用を示す図である。
【図５】図５は、本発明の好ましい実施形態の電子機器の構成を示す図である。
【図６】図６は、本発明の他の実施形態による第１次ユニットを示す図である。
【図７】図７は、本発明の好ましい実施形態による指グリップを示す図である。
【図８】図８は、本発明の好ましい実施形態の端面図を示す図である。
【図９】図９は、本発明の好ましい実施形態のグリップの断面図を示す図である。
【図１】
2008521552.tif 000003
【図２】
2008521552.tif 000004
【図３（ａ）】
2008521552.tif 000005
【図３（ｂ）】
2008521552.tif 000006
【図４】
2008521552.tif 000007
【図５】
2008521552.tif 000008
【図６】
2008521552.tif 000009
【図７】
2008521552.tif 000010
【図８】
2008521552.tif 000011
【図９】
2008521552.tif 000012
【国際調査報告】
2008521552.tif 000013